(57)【要約】【課題】  らっきょうなどの球根野菜の根毛部分と茎部分を切断調整する装置において、構造の簡単化、省スペース化とともに、メンテナンスを簡単にする。【解決手段】  平行に配置して等速で走行する２本の移送ベルト２と、それぞれの移送ベルトにおける水平部分２ａからプーリに沿って下向きに方向を変える下降部分２ｂに接触して．球根野菜の根毛部と茎部を挟持する押さえベルト５とをそなえる。移送ベルト２と押さえベルト５に挟持されて移送される球根野菜を切断するカッター１０を、前記移送ベルト２の水平部分２ａに設けないで、移送ベルト２の下降部分２ｂ相互の間に配置して切断させる。【選択図】        図１
2005111610.tif 000002
【特許請求の範囲】
【請求項１】
平行に配置してそれぞれ等速で走行し、水平部分とこの水平部分に続く下降部分と戻り部分を有する移送ベルトと、前記移送ベルトの下降部分に接触して球根野菜の根毛部と茎部を挟持して移送する押さえベルトとをそなえ、前記移送ベルトの下降部分の相互間に、調整切断位置に合わせたカッターを設けたことを特徴とする球根野菜の調整切断装置。
【請求項２】
前記移送ベルトを水平部分から下降部分に変えるプーリを大径にし、下降部分において、カッターと前記プーリをほぼ水平位置に配置させた請求項１記載の球根野菜の調整切断装置。
【請求項３】
前記カッターを、切断位置から押さえベルトより外側の位置に移動できるように取り付けた請求項１または２記載の球根野菜の調整切断装置。
【発明の詳細な説明】
【技術分野】
【０００１】
本発明は、らっきょう等の球根野菜の根毛部側と茎部側とを切断除去して、出荷に適した形状に調整する切断装置に関する。
【背景技術】
【０００２】
畑から収穫されたらっきょう、にんにくなどの球根野菜は、根毛部と茎部を適当な長さに切断調整して出荷される。また、球根部の根毛側と茎部側を切除して球根部のみに調整して出荷される場合もある。
このような球根野菜の切断調整は、従来包丁などで人手によって行われているが、自動化するための装置として、スプロケットホイルで駆動される２本のチェーンベルトと、その上にチェーンベルト押さえを設けて、らっきょうの根部と茎部を挟んで搬送させ、このチェーンベルトの内側にらっきょうの切断部に合わせてカッターを設けたものが提案されている。（特許文献１参照）
【０００３】
また、らっきょうの両側を挟むように収納保持する支持部を多数そなえたエンドレス走行体と、その上面に対向させた押えベルトによって、らっきょうの球状部分を支持して移送する搬送体をそなえ、この搬送体の移送方向に根切断刃物と茎切断刃物を間隔を設けて順次に配置し、位置決めガイドに沿ってまず根切断刃物で根毛部を切断し、この切断面を位置決めガイドに押し付けて移送し、茎部を茎切断刃物で切断させるようにした切断装置も提供されている。（特許文献２参照）
【０００４】
また、球茎部収納容器を多数配置したベルトをそなえ、この容器側板にＶ状の縦溝を設けて根毛を容器の外側に露出させて保持し、露出した根毛部を上下の回転板で挟み、回転方向に引っ張って球状部分を容器の内壁に接触保持させた状態で移送させ、切断する調整機が開示されている。（特許文献３参照）
【０００５】
さらに、ベルトに替えて外周に弾性体を被設したドラムを上下に設け、ドラム外周の弾性体を相互に押し付けて、押圧により直線状になった搬送路を形成させ、この移送路に球根野菜を挟ませて送り、直線状の搬送路終端部にカッターを設けて切断することにより、装置を簡単にした調整装置が提案されている。（特許文献４参照）
【特許文献１】実開昭５８−４５６９３
【特許文献２】特開平５−３２９７９８号
【特許文献３】特開平６−１８９７２９号
【特許文献４】特開２００３−２１９８５２
【発明の開示】
【発明が解決しようとする課題】
【０００６】
このように、従来の調整切断装置は、いずれもらっきょうなどを移送する手段として機枠に水平方向に設置されたベルトやチェーンあるいは弾性体を被設したドラムを設け、これら搬送装置で構成された直線状の移送路の内側に、切断刃物を設けて切断を行うようにしている。このため、切断部が搬送部の直線部分の途中や終端に設けられており、搬送部分や装置全体が長くなって設置スペースが大きくなるだけでなく、調整切断された根毛部や茎部の排出に搬送装置の下方部分が邪魔になったり、特許文献４にも記載されているように、切断による粘液や砂が搬送装置に付着しやすいなどの欠点があった。
本発明は、これらの点を改善し、装置を簡単にして小型化するとともに、切断後の排出およびメンテナンスを容易にした調整切断装置を提供する。
【課題を解決するための手段】
【０００７】
このため、請求項１の発明は、平行に配置してそれぞれ等速度で走行される２本の移送ベルトと、それぞれの移送ベルトの水平方向部分からプーリに沿って下向きに移送方向を変える下降部分のベルト面に接触して、球根野菜の根毛部と茎部を挟持させる押さえベルトをそなえ、前記移送ベルトの下降部分相互の内側に、球根野菜の切断位置に合わせた間隔でカッターを設けている。したがって、移送ベルトと押さえベルトで構成する移送路の水平部分に供給された球根野菜を下降部分まで挟持させ、この球根野菜の切断を移送路の水平部分で行わずに、下降部分の移送路に設けたカッターで調整切断させる。
【０００８】
また、請求項２の発明では、移送ベルトを水平部分から下降部分に方向に変えるプーリの径を大きくし、プーリに沿った下向き部分の長さを大きくして、カッターをこのプーリとほぼ水平位置に配置できるようにしている。
請求項３の発明は、カッターを挟持するカッター支持台を切断位置から押さえベルトより外側まで移動できるようにヒンジやスライドレールで取り付け、カッターの切断間隔の調整や、修理、取り替えなどを行うときに、カッター全体を移送路の外側に取り出せるようにしている。
【発明の効果】
【０００９】
このように、球根野菜を挟持して移送する移送路が、水平方向から下向きに方向を変えた形状に構成され、移送路の水平部分で球根野菜を供給し、下向きの下降部分にカッターを設けて切断調整するので、移送路の水平部分を短くして設置スペースを減少させることができ、切断時に生じる粘液が移送路に飛散することがない。また、切断部分の下方には移送ベルトなどが配置されておらず、切断された根毛部や茎部は切断後も保持されて移送路の下端部で排出されるので、移送ベルトなどに接触しないで落下し、装置への巻き込みや汚染を生じることなく排出される。
また、カッターは切断位置から移送路の外側に引き出すことができ、カッターを引き出すことによって移送路の切断部分も解放されて清掃などのメンテナンスが簡単になり、カッターの調整寸法の変更や、取り替えなども安全容易に行い得る効果がある。
【発明を実施するための最良の形態】
【００１０】
これを図１および図２に示す実施例について説明する。
１はフレーム、２は移送ベルトで、平行に２本設けられ、それぞれ駆動プーリ３と大径の従動プーリ４に巻回されて、水平部分２ａと下降部分２ｂと戻り方向部分２ｃを形成している。５は前記移送ベルト２の下降部分２ｂに接触して球根野菜たとえばらっきょうＡの根毛部Ｂと茎部Ｃを挟持する押さえベルトで、タイミングプーリ６、７とガイドプーリ８で支持されている。９はらっきょうＡの位置決めガイド、１０はらっきょうＡを調整位置で切断するカッターで、移送ベルト２の下降部分２ｂ相互間のガイドプーリ８とタイミングプーリ７との間に設置されている。１１は移送ベルト２の駆動モータ、１２はカッター１０の駆動モータ、１３は駆動モータ１２を取り付けたカッター支持台で、ヒンジ１４により矢示方向に回動させ、一点鎖線で示すようにカッター１０を駆動モータ１２とともに押さえベルト５よりも外側に移動できるようにしている。１５はカッター１０間に設けたシュートである。
なお、駆動プーリ３とタイミングプーリ６は張力を調整するため取付位置を調整できるようにしており、押さえベルト５は移送ベルト２との接触で駆動しているが、駆動モータ１１からチェーンなどで別個に等速で駆動させ、また移送ベルト２の従動プーリ４を駆動プーリに替え、あるいはカッター支持台１３をスライドレールで引き出すなどの変更をすることができる。
【００１１】
駆動モータ１１で駆動プーリ３が駆動されると、両側の移送ベルト２とこれに接触する押さえベルト５が矢印方向に等速度で駆動される。駆動モータ１２でカッター１０を回転させ、らっきょうＡを位置決めガイド９を基準にして移送ベルト２の水平部分２ａに載置すると、らっきょうＡは根毛部Ｂと茎部Ｃを移送ベルト２と押さえベルト５で挟持されて下降部分２ｂに送られ、押さえベルト５が移送ベルト２から離れる前に、カッター１０で所定個所を切断され、球根部分はシュート１５で図示しない収納箱に落下し、根毛部Ｂと茎部Ｃはそれぞれ移送ベルト２と押さえベルト５が離開する位置まで保持されて移送路の下端部に送られ、移送ベルトなどに接触しない位置で落下排出される。
らっきょうＡの調整切断位地を変えたり、カッターの交換や装置の手入れなどをする場合は、カッター支持台１３をカッター１０とともに回動させて、カッター１０を押さえベルト５より外側に移動させる。
【００１２】
図３は別の実施例を示している。この実施例では、移送ベルト２の従動プーリ４に小径のプーリを用いているため、補助プーリ１６を設けて下降部分２ｂを延長し、延長部分にカッター１０を配置させている。
この実施例では、従動プーリ４と接触していない移送路の下降部分で切断調整し、前記図１の実施例と同様にの効果を得られるが、補助プーリ１６を設けるために図１の実施例に比べて構造が複雑になり、プーリと接触していない部分で切断を行うので、球根野菜の保持が不安定になる恐れがあり、図１のように大径のプーリを用いることが望ましい。
【図面の簡単な説明】
【００１３】
【図１】本発明の実施例を示す側面図で、手前のフレームを省いている。
【図２】図１の上面図である。
【図３】別の実施例の移送路とカッターを示す側面図である。
【符号の説明】
【００１４】
１  フレーム
２  移送ベルト
２ａ  水平部分
２ｂ  下降部分
２ｃ  戻り方向部分
３  駆動プーリ
４  従動プーリ
５  押さえベルト
６、７  タイミングプーリ
８  ガイドプーリ
９  位置決めガイド
１０  カッター
１３  カッター支持台
１４  ヒンジ
１５  シュート
１６  補助プーリ
Ａ  らっきょう
【図１】
2005111610.tif 000003
【図２】
2005111610.tif 000004
【図３】
2005111610.tif 000005